(57)【特許請求の範囲】
【請求項１】
自走車体の前部に、前記自走車体から上下駆動揺動自在に延出された昇降リンクを介して昇降操作自在に草刈装置を連結し、
前記草刈装置の刈り刃ハウジングの上面側が前記昇降リンクの先端部に車体横向き軸芯まわりに相対回動自在に連結されて、前記草刈装置が、前記車体横向き軸芯まわりで前記昇降リンクに対して上昇回動して前記草刈装置の底面側が車体前方向きになった上昇取り付け姿勢と、前記車体横向き軸芯まわりで前記昇降リンクに対して下降回動して前記草刈装置の底面側が車体下方向きになった下降取り付け姿勢とに切り換え自在に前記昇降リンクに支持されている草刈機であって、
前記草刈装置が前記下降取り付け姿勢にある状態において前記草刈装置を前記上昇取り付け姿勢に切り換える方向の操作力を前記草刈装置に付与する弾力発揮状態と、前記草刈装置が前記下降取り付け姿勢にある状態において前記草刈装置に対する操作力付与を解除した作用解除状態とに切り換え自在な弾機を備えてある草刈機。
【請求項２】
前記草刈装置に回動自在に支持された回動自由状態と、前記草刈装置に回動不能に固定されたロック状態とに切り換え自在な支持リンクを備え、
前記弾機を前記昇降リンクと前記支持リンクとに連結するとともに、前記支持リンクが前記回動自由状態に切り換え操作されることによって、前記弾機が前記作用解除状態になり、前記支持リンクが前記ロック状態に切り換え操作されることによって、前記弾機が前記弾力発揮状態になるように構成してある請求項１記載の草刈機。
【請求項３】
前記弾機を弾性変形させるべく前記支持リンクを回動操作するバーハンドルを、前記支持リンクに対して脱着自在な状態で備えてある請求項２記載の草刈機。
【請求項４】
前記バーハンドルを保管する収納部を、前記草刈装置に設けてある請求項３記載の草刈機。
【請求項５】
前記草刈装置を前記上昇取り付け姿勢に固定するロックピンと、このロックピンのためのピン孔とを、草刈装置が上昇取り付け姿勢に切り換え操作されることによって位置合わせ状態になるように配置するともに、前記ロックピンを前記ピン孔に挿入付勢するロックばねを備えてある請求項１〜４のいずれか１項に記載の草刈機。
【発明の詳細な説明】
【技術分野】
【０００１】
本発明は、自走車体の前部に、前記自走車体から上下駆動揺動自在に延出された昇降リンクを介して昇降操作自在に草刈装置を連結し、前記草刈装置の刈り刃ハウジングの上面側が前記昇降リンクの先端部に車体横向き軸芯まわりに相対回動自在に連結されて、前記草刈装置が、前記車体横向き軸芯まわりで前記昇降リンクに対して上昇回動して前記草刈装置の底面側が車体前方向きになった上昇取り付け姿勢と、前記車体横向き軸芯まわりで前記昇降リンクに対して下降回動して前記草刈装置の底面側が車体下方向きになった下降取り付け姿勢とに切り換え自在に前記昇降リンクに支持されている草刈機に関する。
【背景技術】
【０００２】
上記草刈機としては、従来、たとえば特許文献１に示されるものがあった。
特許文献１に示されるものにあっては、走行機体に昇降リンク９を介して草刈装置としてのモーアＭを連結するとともに、昇降リンク９にリフトロッド１０を介して連結されたリフトアーム８、昇降リンク９とモーアＭの刈り刃ハウンジング２に連結された調節ロッド１９を備え、リフトアーム８によって昇降リンク９を上下に揺動操作してモーアＭを昇降操作する。昇降リンク９を上昇させてモーアＭを持ち上げ、かつ、調節ロッド１９による刈り刃ハウジング２と昇降リンク９の連結を外すと、刈り刃ハウジング２が枢支連結点Ｓのまわりで昇降リンク９に対して回動してほぼ立ち姿勢（上昇取り付け姿勢に相当）になり、刈り刃ハウジング２の底面２Ａが前向きになるものである。
【０００３】
つまり、この種の草刈機は、草刈装置を上昇取り付け姿勢に切り換えることにより、草刈装置を昇降リンクに連結したままにしながら、草刈装置の底面側を車体前方向きにして草刈装置の清掃や点検などを行うことができるものである。
【０００４】
【特許文献１】特開平３−２２４４０２号公報（第９ページ、第５図）
【発明の開示】
【発明が解決しようとする課題】
【０００５】
上記した従来の技術を採用しても、草刈装置の重心位置によっては、草刈装置の自重による回動だけでは、回動角が少なくて草刈装置の底面側が十分に前向きにならないことがある。また、草刈装置をさらに回動させてより上昇した取り付け姿勢にしようとしても、草刈装置によっては、重くて上昇回動しにくく、草刈装置の底面側を十分に前向きにできなくなることがあった。
【０００６】
本発明の目的は、草刈装置を楽に上昇回動させて、草刈装置の底側を十分に前向きにすることができ、しかも、構造簡単に得ることができる草刈機を提供することにある。
【課題を解決するための手段】
【０００７】
本第１発明にあっては、自走車体の前部に、前記自走車体から上下駆動揺動自在に延出された昇降リンクを介して昇降操作自在に草刈装置を連結し、前記草刈装置の刈り刃ハウジングの上面側が前記昇降リンクの先端部に車体横向き軸芯まわりに相対回動自在に連結されて、前記草刈装置が、前記車体横向き軸芯まわりで前記昇降リンクに対して上昇回動して前記草刈装置の底面側が車体前方向きになった上昇取り付け姿勢と、前記車体横向き軸芯まわりで前記昇降リンクに対して下降回動して前記草刈装置の底面側が車体下方向きになった下降取り付け姿勢とに切り換え自在に前記昇降リンクに支持されている草刈機において、
前記草刈装置が前記下降取り付け姿勢にある状態において前記草刈装置を前記上昇取り付け姿勢に切り換える方向の操作力を前記草刈装置に付与する弾力発揮状態と、前記草刈装置が前記下降取り付け姿勢にある状態において前記草刈装置に対する操作力付与を解除した作用解除状態とに切り換え自在な弾機を備えてある。
【０００８】
すなわち、弾機を作用解除状態に切り換えておけば、弾機による草刈装置に対しての操作力付与が行われず、草刈装置を下降取り付け姿勢に維持して支障なく作業を行うことができる。
【０００９】
弾機を弾力発揮状態に切り換えると、草刈装置を上昇取り付け姿勢に切り換える方向の操作力が弾機によって草刈装置に付与され、弾機による援助操作を受けながら、草刈装置を上昇取り付け姿勢に切り換え操作することができる。
【００１０】
従って、本第１発明によると、草刈装置の清掃や点検などの作業を行う際、弾機による援助操作を受ける分だけ楽に草刈装置を上昇させた取り付け姿勢に切り換えて、草刈装置の底面側を大きく前向きにして能率よく作業を行うことができる。しかも、弾機を弾力発揮状態と作用解除状態に切り換え自在に備えるだけの簡単な構造で済み、安価に得ることができる。
【００１１】
本第２発明にあっては、本第１発明の構成において、前記草刈装置に回動自在に支持された回動自由状態と、前記草刈装置に回動不能に固定されたロック状態とに切り換え自在な支持リンクを備え、前記弾機を前記昇降リンクと前記支持リンクとに連結するとともに、前記支持リンクが前記回動自由状態に切り換え操作されることによって、前記弾機が前記作用解除状態になり、前記支持リンクが前記ロック状態に切り換え操作されることによって、前記弾機が前記弾力発揮状態になるように構成してある。
【００１２】
すなわち、支持リンクを回動自由状態に切り換えると、弾機がたとえ弾性復元力を発揮しても、支持リンクが草刈装置に対して回動し、弾機の弾性復元力が草刈装置に対して及ばないように作用解除状態になる。支持リンクをロック状態に切り換えると、弾機の弾性復元力が支持リンクを介して草刈装置に対して及ぶように弾力発揮状態になるものである。
【００１３】
従って、本第２発明によると、弾機を前記支持リンクを介して草刈装置に連結するだけの簡単な構造で済み、より安価に得ることができる。
【００１４】
本第３発明にあっては、本第２発明の構成において、前記弾機を弾性変形させるべく前記支持リンクを回動操作するバーハンドルを、前記支持リンクに対して脱着自在な状態で備えてある。
【００１５】
すなわち、支持リンクを揺動操作することによって弾機を弾性変形操作する。このとき、バーハンドルを支持リンクに装着し、バーハンドルの長さを利用して弾機を軽く弾性変形操作することができる。作業時には、バーハンドルを障害物にならないように外しておくことができるものである。
【００１６】
従って、本第３発明によると、作業時にはバーハンドルが障害物にならないようにすることができるものでありながら、弾機を弾性変形操作する際、バーハンドルを使用して軽く弾性変形操作することができる。
【００１７】
本第４発明にあっては、本第３発明の構成において、前記バーハンドルを保管する収納部を、前記草刈装置に設けてある。
【００１８】
すなわち、作業時など、バーハンドルを収納部に装着して草刈装置に保管しておき、弾機を使用する際、バーハンドルを弾機の近くに位置する収納部から取り出して速やかに弾機を変形操作することができるものである。
【００１９】
従って、本第４発明によると、作業時などバーハンドルを紛失などしないように保管することができながら、草刈装置の清掃や点検などの際、バーハンドルを弾機の近くから取り出して弾機を速やかに変形操作し、清掃や点検などの作業を能率よく行うことができる。
【００２０】
本第５発明にあっては、本第１〜４発明のいずれか一つの構成において、前記草刈装置を前記上昇取り付け姿勢に固定するロックピンと、このロックピンのためのピン孔とを、草刈装置が上昇取り付け姿勢に切り換え操作されることによって位置合わせ状態になるように配置するともに、前記ロックピンを前記ピン孔に挿入付勢するロックばねを備えてある。
【００２１】
すなわち、草刈装置を下降取り付け姿勢から回動操作して草刈装置が上昇取り付け姿勢に切り換わると、ロックピンとピン孔が位置合わせ状態になってロックピンがロックばねのためにピン孔に自ずと挿入され、草刈装置が上昇取り付け姿勢に固定される。
【００２２】
従って、本第５発明によると、草刈装置の清掃や点検を行う際、草刈装置を上昇取り付け姿勢に切り換えるに伴って草刈装置が上昇取り付け姿勢に自ずと固定され、特別な固定手間を掛けなくとも、草刈装置を上昇取り付け姿勢に固定して容易に作業を行うことができる。
【発明を実施するための最良の形態】
【００２３】
以下、本発明の実施例を図面に基づいて説明する。
図１，２に示すように、左右一対の駆動自在な前車輪１、左右一対の駆動及び操向操作自在な後車輪２、車体後部に設けたエンジン３が装備された原動部、この原動部の車体前方側近くに配置した運転座席４が装備された運転部、運転座席４の後側近くに位置したロプス６を備えた自走車体の前部に、車体フレームを構成している前部ミッションケース７から車体前方向きに延出されたリンク機構２０を介して草刈装置１０を連結するとともに、前記エンジン３からの駆動力が前記前部ミッションケース７に位置する動力取り出し軸７ａから回転軸９を介して草刈装置１０に伝達されるように構成して、乗用型草刈機を構成してある。
【００２４】
この草刈機は、草刈りや芝刈り作業を行うものであり、リンク機構２０の左右一対のリフトアーム２１が上下に揺動操作されると、リンク機構２０が前部ミッションケース７に対して上下に揺動操作されて草刈装置１０を、接地ゲージ輪１１が地面上に接地した下降作業状態と、接地ゲージ輪１１が地面上から上昇した上昇非作業状態とに昇降操作する。草刈装置１０を下降作業状態にして自走車体を走行させると、草刈装置１０は、刈り刃ハウジング１２の内部の車体横方向での複数箇所において車体上下向きの軸芯まわりで駆動回動されるブレード形の回転刈り刃１３によって草や芝を切断し、刈り草や刈り芝を回転刈り刃１３の回動によって発生した風によって刈り刃ハウジング１２の内部を刈り刃ハウジング１２の横一端側に位置する排出口１２ｂに搬送し、この排出口１２ｂから刈り刃ハウジング外に排出していく。
【００２５】
図１，３などに示すように、前記リンク機構２０は、前記前部ミッションケース７の下部の両横側から車体前方向きに上下揺動自在に延出された昇降リンク２２、前記前部ミッションケース７の上部の両横側に上下揺動自在に支持された前記リフトアーム２１、車体左側において前記リフトアーム２１の先端部と前記昇降リンク２２の中間部を連結しているリフトロッド２３、車体右側において前記リフトアーム２１の先端部と前記昇降リンク２２の中間部を連結しているリフトロッド２３を備えて構成してある。
【００２６】
前記各リフトアーム２１は、左右のリフトアーム２１の基部を前部ミッションケース７に回動自在に連結している回転支軸２１ｂを介して前部ミッションケース７の上部内に位置するリフトシリンダ２４に連動されている。前記各昇降リンク２２の先端部は、草刈装置１０の刈り刃ハウジング１２の上面側に位置する連結ブラケット１６に車体横向きの軸芯Ｐ１まわりで相対回動自在に連結されている。各連結ブラケット１６は、刈り刃ハウジング１２の上面側に左右一対の連結板１４を介して固定された連結フレーム１５に固定されている。前記各昇降リンク２２の途中部位と、草刈装置１０の刈り刃ハウジング１２の後部の上面側に固定されたブラケット１７とに姿勢規制ロッド２５が連結されている。
【００２７】
図５に示すように、左側の昇降リンク２２に連結されている前記姿勢規制ロッド２５の下端側にも、右側の昇降リンク２２に連結されている前記姿勢規制ロッド２５の下端側にも、この姿勢規制ロッド２５に固定のピンホルダー３０に摺動自在に支持された連結ピン３１、この連結ピン３１を刈り刃ハウジング１２の前記ブラケット１７に挿入するように摺動付勢している連結ばね３２、連結ピン３１を連結ばね３２に抗して摺動操作して前記ブラケット１７から抜き外し操作するように連結ピン３１の端部に備えさせた人為操作部３３を設けてある。
【００２８】
つまり、各姿勢規制ロッド２５は、連結ピン３１を刈り刃ハウジング１２の前記ブラケット１７に対して抜き挿しすることによって刈り刃ハウジング１２の後側に連結したり、刈り刃ハウジング１２の後側から外したりすることができるようになっており、刈り刃ハウジング１２の後側の前記姿勢規制ロッド２５による昇降リンク２２に対する連結が解除されると、草刈装置１０が前記軸芯Ｐ１まわりで昇降リンク２２に対して上昇及び下降回動させることができるようになっている。
【００２９】
すなわち、昇降リンク２２を上昇操作し、かつ、各姿勢規制ロッド２５を刈り刃ハウジング１２のブラケット１７から外した状態にすると、草刈装置１０が軸芯Ｐ１まわりで昇降リンク２２に対して上下回動するようになり、図６に示すように、草刈装置１０を昇降リンク２２に対して上昇回動させることにより、草刈装置１０は、刈り刃ハウジング１２の後側に位置する障害物乗り越え用のローラ１８が接地部材になって地面上に立ち、刈り刃ハウジング１２の開口１２ａが存在している草刈装置１０の底面側が車体前方向きになった上昇取り付け姿勢になる。図４に示すように、草刈装置１０を昇降リンク２２に対して下降回動させることにより、草刈装置１０は、刈り刃ハウジング１２が昇降リンク２２から垂下し、刈り刃ハウジング１２の開口１２ａが存在している草刈装置１０の底面側が車体下方向きになった下降取り付け姿勢になる。
【００３０】
図３，７，１０に示すように、前記連結フレーム１５が備えるブラケット１９に連結ピン４０ｂを介して中間部が支持された支持リンク４０を草刈装置１０に設け、この支持リンク４０の下端部と、前記一方の昇降リンク２２に固設されたブラケット２２ａとにガススプリング４１を連結してある。
【００３１】
前記ガススプリング４１は、昇降リンク２２のブラケット２２ａに一端側が回動自在に支持されたシリンダチューブ４１ａ、前記支持リンク４０に一端側が回動自在に支持されたシリンダロッド４１ｂ、前記シリンダチューブ４１ａの内部に封入されたガス（図示せず）を備えて構成してある。
【００３２】
シリンダロッド４１ｂは、シリンダチューブ４１ａに摺動出退自在に内嵌されている。シリンダチューブ内の前記ガスは、シリンダロッド４１ｂがシリンダチューブ４１ａに入り込むように短縮操作されるに伴ってシリンダロッド４１ｂをシリンダチューブ４１ａから突出する側に摺動付勢した作用状態になるようにして封入されている。
これにより、ガススプリング４１は、シリンダロッド４１ｂがシリンダチューブ４１ａに入り込むように短縮操作されていくと、これに伴って弾性変形していき、シリンダロッド４１ｂをシリンダチューブ４１ａから突出する側に摺動付勢する弾性復元力を蓄積していく。
【００３３】
前記支持リンク４０は、前記連結ピン４０ｂの軸芯であって、前記左右の昇降リンク２２の先端部がブラケット１６に対して回動する前記軸芯Ｐ１と同一又はほぼ同一の軸芯まわりで回動するように前記ブラケット１９に支持されている。図７に示すように、支持リンク４０及びブラケット１９にピン孔４２，４３を設け、図７（ロ）に示す如く両ピン孔４２，４３にロックピン４４が装着されると、支持リンク４０は、草刈装置１０の連結フレーム１５に回動不能に固定された状態に切り換わり、図７（イ）に示す如く前記ロックピン４４が両ピン孔４２，４３から抜き外されると、支持リンク４０は、草刈装置１０の連結フレーム１５に対して軸芯Ｐ１まわりで自由に回動する回動自由状態に切り換わるように構成してある。
【００３４】
草刈装置１０が昇降リンク２２に対して前記下降取り付け姿勢にある状態において、支持リンク４０が前記回動不能状態に切り換えられると、支持リンク４０がガススプリング４１を短縮操作し、かつ、ガススプリング４１の弾性復元力が支持リンク４０、ロックピン４４を介してブラケット１９に伝達される状態になることにより、ガススプリング４１は、蓄積している弾性復元力を、草刈装置１０を上昇取り付け姿勢に切り換える方向の操作力として、支持リンク４０、ロックピン４４を介して草刈装置１０の連結フレーム１５に付与する弾力発揮状態に切り換わるようになっている。
草刈装置１０が昇降リンク２２に対して前記下降取り付け姿勢にある状態であっても、支持リンク４０が自由回動状態に切り換えられると、ガススプリング４１が弾性復元力を発揮しても、この弾性復元力によって支持リンク４０が回動操作されることにより、ガススプリング４１は、草刈装置１０に対する操作力付与を解除した作用解除状態に切り換わるようになっている。
【００３５】
図７に示すように、前記支持リンク４０は、この支持リンク４０の上端側に設けたハンドル連結部４０ａに脱着自在なバーハンドル４５を連結して操作するように構成してある。前記バーハンドル４５は、角パイプ材によって構成してあり、バーハンドル４５の一端側を支持リンク４０の前記ハンドル連結部４０ａに外嵌させて支持リンク４０の回動軸芯まわりで揺動操作することにより、支持リンク４０がバーハンドル４５と共に揺動して前記回動不能状態の位置になるように、かつ、支持リンク４０がガススプリング４１を短縮操作するように支持リンク４０を揺動操作できるようになっている。
【００３６】
図３に示すように、草刈装置１０の刈り刃ハウジング１２の横一端側の上方に、ロックピン５１を備えたロック機構５０を設けてある。
【００３７】
図９に明示するように、ロック機構５０は、連結フレーム１５が有する前記ブラケット１６の横側面がわに固定のピンホルダー５２に摺動自在に支持された前記ロックピン５１、このロックピン５１に装着されたロックばね５３、前記ブラケット１６に連結されている前記昇降リンク２２の先端部に設けたピン孔５４を備えて構成してある。
【００３８】
前記ロックピン５１と前記ピン孔５４とは、草刈装置１０が昇降リンク２２に対して上昇回動して前記上昇取り付け姿勢になると、これに伴ってロックピン５１がピン孔５４に入り込むことが可能な位置合わせ状態になるように配置してある。前記ロックばね５３は、ロックピン５１が備えるばね受け体５１ａに押圧作用することにより、ロックピン５１をピン孔５４に挿入する側に摺動付勢するようになっている。
【００３９】
これにより、ロック機構５０は、草刈装置１０が昇降リンク２２に対して上昇回動操作されて前記上昇取り付け姿勢になると、これに伴ってロックピン５１をロックばね５３によってピン孔５４に挿入し、ブラケット１６をロックピン５１によって昇降リンク２２に回動不能に固定することによって草刈装置１０を上昇取り付け姿勢に固定するように作用したロック状態にロックばね５１によって自ずと切り換わるようになっている。ロックピン５１のピンホルダー５２から突出している端部に設けた操作部５５によってロックピン５１をロックばね５３に抗して摺動操作してピン孔５４から抜き外すことにより、ロック機構５０を草刈装置１０の上昇取り付け姿勢への固定を解除したロック解除状態に切り換えることができる。
【００４０】
つまり、草刈りや芝刈り作業を行う際、草刈装置１０を刈り刃ハウジング１２の後端側が一対の姿勢規制ロッド２５によって左右の昇降リンク２２に連結された状態にしておいて、リフトシリンダ２４を操作する。すると、リフトシリンダ２４が左右一対のリフトアーム２１を一体に上下に揺動操作し、左側のリフトアーム２１がリフトロッド２３を介して左側の昇降リンク２２を、右側のリフトアーム２１がリフトロッド２３を介して右側の昇降リンク２２をそれぞれ上下に揺動駆動して各昇降リンク２２の先端部が草刈装置１０の連結フレーム１５に昇降作用する。これにより、草刈装置１０が前記下降作業状態に下降したり、前記上昇非作業状態に上昇したりする。このとき、各昇降リンク２２の中間部が姿勢規制ロッド２５を介して刈り刃ハウジング１２の後側を支持作用することにより、草刈装置１０は、刈り刃ハウジング１２の開口１２ａが存在する底面側が車体下方向きになった作業用の連結姿勢を維持した状態で下降作業状態と上昇非作業状態とに昇降する。
このとき、支持リンク４１を回動自由状態に切り換えておく。すると、ガススプリング４１が作用解除状態になり、ゲージ輪１１及びローラ１８が地面上の凹部に入り込んだり、凸部に乗り上がったりした際、草刈装置１０が軸芯Ｐ１まわりで揺動昇降する。
【００４１】
草刈装置１０の刈り刃ハウジング１２の内部を清掃や点検する作業を行う際、図７（イ）に示すように、昇降リンク２２を下降操作し、草刈装置１０を草刈装置１０の底面側が車体下方向きになった下降取り付け姿勢で昇降リンク２２に支持されるとともにゲージ輪１１で地面上に接地した状態にする。次に、図７（ロ）に示すように、支持リンク４１に連結したバーハンドル４５を揺動操作し、ガススプリング４１を短縮操作してガススプリング４１に弾性復元力を蓄積させるとともに支持リンク４０にロックピン４４を装着して支持リンク４０を回動不能なようにロック状態に切り換えて、ガススプリング４１を弾力発揮状態に切り換える。この後、図８に示すように、昇降リンク２２を上昇操作して草刈装置１０の連結フレーム１５を持ち上げさせる。このとき、一対の姿勢規制ロッド２５を刈り刃ハウジング１２のブラケット１７から外しておいて、刈り刃ハウジング１２の後側と昇降リンク２２との連結が解除された状態にしておき、草刈装置１０の連結フレーム１５が持ち上げ操作されると、草刈装置１０を軸芯Ｐ１まわりで昇降リンク２２に対して上昇回動するように回動操作し、刈り刃ハウジング１２がローラ１８を接地部材にして地面上に立った上昇取り付け姿勢にする。このとき、ガススプリング４１が弾性復元力を発揮し、この弾性復元力が草刈装置１０を上昇取り付け姿勢に切り換える方向の操作力として支持リンク４０を介して草刈装置１０に付与される。これにより、ガススプリング４１による援助操作のために、草刈装置１０を上昇取り付け姿勢に楽に回動操作することができる。草刈装置１０が上昇取り付け姿勢になると、草刈装置１０の刈り刃ハウジング１２の開口１２ａが車体前方向きなり、刈り刃ハウジング１２の内部の清掃や点検などの作業が車体前方側から行いやすくなる。草刈装置１０が上昇取り付け姿勢になったとき、ロック機構５０のロックピン５１がロックばね５３によって昇降リンク２２のピン孔５４に挿入されてロック機構５０がロック状態に自ずと切り換わっており、草刈装置１０を振動や重量によって上昇取り付け姿勢から姿勢変化しないようにロック機構５０によって上昇取り付け姿勢に固定させながら作業を行うことができる。
【００４２】
図３に示すように、支持リンク４０から取り外された前記バーハンドル４５のための収納部６０を、草刈装置１０の刈り刃ハウジング１２の上面側の前記連結フレーム１５の近くに設けてある。
【００４３】
図１０に明示するように、前記収納部６０は、連結フレーム１５の前記ブラケット１９に固定された係止片６１、連結フレーム１５に支持されたキャッチャー６２を備えて構成してある。
【００４４】
つまり、収納部６０は、バーハンドル４５の一端部を係止片６１に外嵌させて係止させ、バーハンドル４５の中間部をキャッチャー６２に嵌め込んで挟持させることにより、ハンドルバー４５を連結フレーム１５の前記ブラケット１９と１６の間に連結フレーム１５に沿った収納姿勢にして保管するようになっている。
【００４５】
〔別実施例〕
前記ガススプリング４１に替えてコイルスプリングなどを採用して実施しても、本発明の目的を達成することができるのであり、ガススプリング４１、コイルスプリングなどを総称して弾機４１と呼称する。
【図面の簡単な説明】
【００４６】
【図１】乗用型草刈機全体の側面図
【図２】乗用型草刈機全体の平面図
【図３】草刈装置の平面図
【図４】草刈装置の側面図
【図５】姿勢規制ロッドの脱着構造の断面図
【図６】草刈装置の上昇取り付け姿勢での側面図
【図７】（イ）は、弾機の作用解除状態での側面図、（ロ）は、弾機の弾力発揮状態での側面図
【図８】草刈装置の上昇要領を示す側面図
【図９】ロック機構の断面図
【図１０】収納部の平面図
【符号の説明】
【００４７】
１０        草刈装置
１２ 刈り刃ハウジング
２２        昇降リンク
４０        支持リンク
４１        弾機
４５        バーハンドル
５１        ロックピン
５３        ロックばね
５４        ピン孔
６０        収納部
Ｐ１ 車体横向き軸芯
【図１】
0004537897.tif 000002
【図２】
0004537897.tif 000003
【図３】
0004537897.tif 000004
【図４】
0004537897.tif 000005
【図５】
0004537897.tif 000006
【図６】
0004537897.tif 000007
【図７】
0004537897.tif 000008
【図８】
0004537897.tif 000009
【図９】
0004537897.tif 000010
【図１０】
0004537897.tif 000011